(57)【特許請求の範囲】
【請求項１】
複数のスラットを、その上下縁部に突成したインターロック部を介して屈曲自在に連綴してなるシャツターカーテンの左右両端部をガイドレールに嵌挿して昇降可能に構成した建築用シャッターにおいて、前記シャツターカーテンを構成する各スラットのインターロツク部には、その両端近傍位置で室内側の面に略鉛直線上に位置して係止凹部を欠成する一方、ガイドレールの内壁面室内側で前記係止凹部に対向する面にはガイドレール開口部分に位置する第一の凸条と、該第一の凸条から離間して配設した第二の凸条とをそれぞれ長手方向に凸成して、シャッターカーテンが室外側方向に湾曲した際には前記係止凹部が第二の凸条に係止し、室内側方向に湾曲した際には前記係止凹部が第一の凸条に係止することによりシャッターカーテン両端部がガイドレールからの抜け出しを規制するように構成したことを特徴とする建築用シャッター。
【請求項２】
請求項１において、第一の凸条は気密片装着溝を有するポケット部と兼用されていることを特徴とする建築用シャッター。
【発明の詳細な説明】
【０００１】
【発明の属する技術分野】
本発明は、建築用シャッターのシャッターカーテンが台風等の強風を受けて撓みを生じガイドレールから抜け出してしまうことを防止することができる建築用シャッターに関するものである。
【０００２】
【従来の技術】
従来、複数のスラットを上下に連綴した建築用シャッターカーテンは、両端側が断面略コ字状ガイドレールの開口部に嵌挿された状態で昇降して建物開口部を開閉するようになっているが、台風等の強風時には内側に設置された窓ガラスが飛来物等によって破損しないようにするためシャツターカーテンを通常閉鎖するようにしている。
ところが、この閉鎖状態で強い風圧が作用するとシャッターカーテンは、ガイドレールに嵌挿された両端側で支持されその中央部程室内外方向に大きく撓んで湾曲する結果、シャッターカーテンの端部がガイドレールから抜け出してしまい折角シャッターカーテンを閉鎖した目的を失するばかりかシャッターカーテン自体にも損傷をきたすこととなる。
そこで、このような事態を防止するためシャッターカーテンがガイドレールから抜け出すのを防止するための種々方策が提案されている。
たとえば、シャッターカーテンを構成するスラツトの両端に鉤型の金具を設け、該金具をガイドレール内に設けた係止片に係止することで抜け止めをしたり、あるいはスラットの端部に凸状の切り起こし部を形成して該切り起こし部をガイドレールの係止片に係止させるようにしたものがある。
【０００３】
【発明が解決しようとする課題】
ところが、上記従来技術のものはシャツターカーテンの室内側または室外側いずれか一方方向の撓み（湾曲）に対しては有効に作用するが、室内外両方側の撓みについては満足するものではないばかりか、金具を取り付けるために手間を要し巻き取られたシャッターカーテンを繰り出す際にスラットの端部に設けた金具がガイドレールの上端部に引っ掛かって昇降動作に支障をきたすおそれがあり、また昇降途中に於いて金具がガイドレール内壁面に擦れて傷や異音の原因となったり、さらには巻き取り時に金具同志が当接してその巻き径が大きくなってしまうものである。
しかも、切り起こした凸部の影響で巻き取り時にシャッターカーテンに傷が発生したり巻き径が大きくなってしまうのでシャッターケースが必要以上に大型化してしまうこととなり、ここに本発明が解決しようとする課題がある。
【０００４】
【課題を解決するための手段】
本発明は、これらの課題を解決するためになされたものであって、複数のスラットを、その上下縁部に突成したインターロック部を介して屈曲自在に連綴してなるシャツターカーテンの左右両端部をガイドレールに嵌挿して昇降可能に構成した建築用シャッターにおいて、前記シャツターカーテンを構成する各スラットのインターロツク部には、その両端近傍位置で室内側の面に略鉛直線上に位置して係止凹部を欠成する一方、ガイドレールの内壁面室内側で前記係止凹部に対向する面にはガイドレール開口部分に位置する第一の凸条と、該第一の凸条から離間して配設した第二の凸条とをそれぞれ長手方向に凸成して、シャッターカーテンが室外側方向に湾曲した際には前記係止凹部が第二の凸条に係止し、室内側方向に湾曲した際には前記係止凹部が第一の凸条に係止することによりシャッターカーテン両端部がガイドレールからの抜け出しを規制するように構成したことを特徴とする建築用シャッター。
【０００５】
そして、この構成によって建築用シャッターのシャッターカーテンが台風等の強風を受けて室内、室外いずれの方向に撓んだ場合であってもその両端側がガイドレールから抜け出てしまうことを効果的に防止するものでありながら、スラットに突出物を形成するものでないのでシャッターカーテンが昇降時にガイドレールに摺れて傷や異音を発するおそれがなく、また巻き取り時にスラットに傷を付けたり巻き径が必要以上に大きくなることがないものである。
【０００６】
また、第一の凸条は気密片装着溝を有するポケット部と兼用されていることを特徴とするものである。
【０００７】
そして、この構成によりポケツト部に第一の凸条の機能を気密片挿入のためのポケット部に持たせることによって材料費の削減を図るものである。
【０００８】
【発明の実施の形態】
つぎに本発明に係る実施の一形態を図面に基づいて説明する。
図１は、建築用シャッターの正面図であって、上方に横架した図示しない巻き取り軸に上端が止着されたシャッターカーテン１が、その両端側をガイドレール３，３に嵌挿支持された状態で巻き取り軸の正逆回転によって昇降して開口部を開閉するようになっている。
ガイドレール３は、図２に示すように離間対設した室内側リブ３ａ，室外側リブ３ｂの一端側をそれぞれ底リブ３ｃで連結して他端側が開口した断面略コ字状に形成され、上記室外側リブ３ｂの開口部分の内壁面には気密片３ｇが嵌挿されたポケット部３ｅが、また室内側リブ３ａの開口部分の内壁面には第一の凸条３ｈが対向状にガイドレール３の長手方向連続して形成されている。
第一の凸条３ｈはポケット部３ｅと同一形状に形成され気密片３ｆが嵌挿されている。
３ｄは、室内側リブ３ａの内壁面に凸設した第二の凸条であって、該第二の凸条３ｄは第一の凸条３ｈよりも底リブ３ｃの底壁面側に離間して室外側リブ３ｂ側に向けて長手方向連続して凸成されている。また、第一の凸条３ｈと第二の凸条３ｄとは略同一の突出高さに設定してある。
なお、第一の凸条３ｈは、上記に示したように必ずしもポケット部の形状に形成したものでなくても良く、他の実施の形態として後述するように室内側リブ３ａの先端部を室外側リブ３ｂ方向に直角に折曲することにより形成することができる。
【０００９】
一方、シャッターカーテン１は、図３（Ｃ）に示すように、中央部に屈曲面を有し上下縁部に互いに反対方向を向くカール状のインターロック部２ａ，２ｂを突成した複数のスラット２，２・・で構成されているが、各スラット２の上縁側インターロック部２ａは図３（Ａ）に示すようにスラット２の両端からそれぞれ所定寸法Ｌだけ切り欠かれている。４は係止凹部であって、該係止凹部４は、スラツト２の下縁側インターロック部２ｂの両端近傍位置で第一の凸条３ｈおよび第二の凸条３ｄに対向する側の面（室内側の面）に形成されており、図４（Ａ）に示すように凸条３ｄの幅ｍより大きい寸法Ｍに切り欠かれている。また、左右に対向して形成する係止凹部４，４の間隔は、スラット２の切り欠かれた上縁側インターロック部２ａの長手寸法より僅かに大きな寸法に設定されている。
このように形成したスラット２の上縁側インターロツク部２ａを直上スラット２の下縁側インターロック部２ｂにその端部側からスライド嵌挿して上下屈曲自在に連綴することで係止凹部４は、シャッターカーテン１に対してその両端部側で略同一鉛直線上に位置することとなる。
【００１０】
５は、上下隣接するスラット２，２が相互に長手方向に移動することを防止する移動規制片であり、該移動規制片５は図４（Ａ）に示すように下縁側インターロック部２ｂを左右に対向する係止凹部４，４のそれぞれ内側端部近傍部位で正面側からプレス加工することにより係止凹部４に向けて低位となるよう傾斜状に圧潰して形成されており、これにより下縁側インターロック部２ｂに嵌挿された上縁側インターロック部２ａはその両端面が移動規制片５により長手方向への移動が規制されるようになっている。
【００１１】
このように係止凹部４のスラット中央側端部に傾斜状に移動規制片５を形成した場合は、シャツターカーテン１に対する風圧が減少してシャッターカーテン１の端部側がガイドレール３の底方向に移動して元の状態に復帰する際に、係止凹部４は第一の凸条３ｈおよび第二の凸条３ｄとの係止状態が傾斜部によって解除する方向に誘導されることとなって、引っ掛かることなく円滑に復帰させることができるものである。
【００１２】
なお、本実施の形態では、係止凹部４にスラツト２の長手方向への移動を防止する移動規制片５を設けたものについて説明したが、これにかぎらず移動規制片５はスラット２のインターロック部２ａ，２ｂの端面部にカシメ加工を施すことによって設けたものであってもよい。
【００１３】
また移動規制片５は、図４（Ｂ）に示す如く下縁側インターロック部２ｂに縦方向の二条のスリットを形成し、該スリット間の部位５´を正面側からプレス加工により圧潰して形成してもよく、この場合には係止凹部４と移動規制片５とを同時に形成することができ作業効率の向上を図ることができる。
【００１４】
図６に示すものは、上述したものとは係止凹部４を形成するためのスラット２のインターロック部２ａ、２ｂの切り欠き状態を異ならしめたものである。
すなわち、上述の場合は、上縁側インターロック部２ａをスラット２の両端からそれぞれ所定寸法（Ｌ）切り欠いたのに対し、図６（Ａ）に示すものは上縁側インターロック部２ａをスラット２の両端からそれぞれ（Ｌ―Ｍ）だけ残した位置からスラット２を、その長手方向中央部に向けてＭ長さ切り欠く一方、下縁側インターロック部２ｂはその端部からそれぞれ（Ｌ―Ｍ）の位置にそれぞれスリット６が形成されている。
このように形成した複数枚のスラツト２，２の上縁側インターロック部２ａと下縁側インターロツク部２ｂ同士をその端部側から嵌挿嵌合することにより連綴してシャッターカーテン１とし、図６（Ｂ）のようにスリット６部分をカシメて係止凹部４と移動規制片５を形成したものであって、この場合にはシャツターカーテン１のインターロック部両端側において、下縁側インターロック２ｂが隣接するスラット２の上縁側インターロック２ａに被嵌された二重嵌合状態となり、シャツーカーテン１が風圧を受けて室内外方向に撓んだ際、係止凹部４がガイドレール３の室内側リブ３ａの内壁面に凸成した第一の凸条３ｈまたは第二の凸条３ｄに係止してシャツターカーテン１の抜け止めがなされることとなるが、この際抜け止め力を負担するインターロック部両端側（Ｌ−Ｍの部位）が二重嵌合構造となっているため十分な強度を有し、シャツターカーテン１の抜け止め作用を確実なものとすることができる。
【００１５】
叙述のように構成したシャッターカーテン１は、図７（Ａ）のように常時はその端部側がガイドレール３に嵌挿された状態で昇降されるが、強風による負圧を受けてシャッターカーテン１が室外側に向けて撓み湾曲した場合には、まずシャツターカーテン１はその外面側の両端部が室外側リブ３ｂに形成したポケット部３ｅに嵌挿された気密片３ｇに当接し、その後中央部が室外側に撓んで湾曲するにつれてその両端部１ａは、ガイドレール３の室内側リブ３ａの内壁面に当接することとなる。そして、さらに撓み量が増大すると図７（Ｂ）に示すようにシャツターカーテン１の両端部１ａは、ガイドレール３の開口側方向へ移動することとなるが係止凹部４が第二の凸条３ｄに係止しそれ以上の移動が規制されることとなり、その結果シャツターカーテン１の端部１ａがガイドレール３から抜け出してしまうことが防止できる。
また、これとは逆にシャツターカーテン１が正圧を受けて室内側に撓んで湾曲した場合には、図７（Ｃ）に示すようにシャツターカーテン１の室内側面のインターロック部両端に欠成した係止凹部４が室内側リブ３ａに形成された第一の凸条３ｈに係止してシャツターカーテン１の両端部１ａがガイドレール３からの抜け出しが防止される。
この結果、シャツターカーテン１が室内外いずれの方向に撓んで湾曲した場合であってもシャツターカーテン１の両端部１ａがガイドレール３から抜け出してしまうことがない。
【００１６】
図８は、第一の凸条３ｈと第二の凸条３ｄを示す他の実施の形態であって、（Ａ）はガイドレール３の室内側リブ３ａの開口部分に凸成した第一の凸条３ｈを単にリブ状に形成し第二の凸条３ｄをポケット部に兼用するようにしたものであり、また（Ｂ）はガイドレール３の室内側リブ３ａの一部分を室外側リブ３ｂ方向に段差状に凹ませて形成することにより第二の凸条３ｄを形成するようにしたものである。
【００１７】
【発明の効果】
本発明は、叙述の如く構成したものであるから建築用シャッターのシャッターカーテンが強風等の影響により室内、室外のいずれの方向に撓んだ場合であっても、その両端側がガイドレールから抜け出てしまうことがないのでシャッターカーテンの破損を確実に防止できる。しかも、係止凹部がガイドレールの凸条に係止してシャツターカーテンの抜け止めがなされる際に抜け止め力を負担するインターロック部は二重嵌合構造となっているため十分な強度を有し、シャツターカーテンの抜け止め作用を確実なものとすることができる。
また、係止凹部はスラットから突出しないように構成したので、シャッターカーテンの開閉動作時にガイドレールに傷を付けたり異音が発生することがなくシャッターカーテンの円滑な昇降動を確保することができるばかりか、シャッターカーテンを巻き取った際にもスラットに傷が発生したりまた巻き径が必要以上に大きくなることがない。
【図面の簡単な説明】
【図１】建築用シャッターの正面図である。
【図２】ガイドレールの拡大断面図である。
【図３】（Ａ）  シャッターカーテンの要部正面図である。
（Ｂ）  同上の底面図である。
（Ｃ）  同上の右側面図である。
【図４】係止凹部と移動規制片を示す要部拡大斜視図である。
【図５】シャッターカーテンの端部を示す要部拡大斜視図である。
【図６】（Ａ）  係止凹部の他の実施の形態を示すスラット加工説明図である。
（Ｂ）  同上の係止凹部を示すスラットの斜視図である。
【図７】シャッターカーテンの抜け止め状態を示す作用説明図である。
【図８】（Ａ）第一および第二の凸条の他の実施の形態を示すガイドレール断面図である。
（Ｂ）第一および第二の凸条の他の実施の形態を示すガイドレール断面図である。
【符号の説明】
１    シャッターカーテン
２    スラット
２ａ  上縁側インターロック部
２ｂ  下縁側インターロック部
３    ガイドレール
３ｄ  第二の凸条
３ｈ  第一の凸条
４    係止凹部
５    移動規制片
６    スリット
【図１】
0003826343.tif 000002
【図２】
0003826343.tif 000003
【図３】
0003826343.tif 000004
【図４】
0003826343.tif 000005
【図５】
0003826343.tif 000006
【図６】
0003826343.tif 000007
【図７】
0003826343.tif 000008
【図８】
0003826343.tif 000009